(57)【要約】      （修正有）【課題】センサ部で送受信される信号の安定性が向上されたデジタイザ用センサ部及びその製造方法を提供する。【解決手段】デジタイザ用センサ部１は、第１磁性層１１０と、前記第１磁性層１１０の一面に形成される第１コイル２１０と、前記第１磁性層１１０の一面に形成される絶縁層１５０と、前記絶縁層１５０の一面に形成される第２コイル２２０と、前記絶縁層１５０の一面に形成される第２磁性層１２０と、を含み、コイル間の磁場形成や、コイルと入力装置との間に送受信される信号の安定性を向上させる。【選択図】図１
2014006862.tif 000002
【特許請求の範囲】
【請求項１】
第１磁性層と、
前記第１磁性層の一面に形成される第１コイルと、
前記第１磁性層の一面に形成される絶縁層と、
前記絶縁層の一面に形成される第２コイルと、
前記絶縁層の一面に形成される第２磁性層と、を含むデジタイザ用センサ部。
【請求項２】
前記第２磁性層の一面に形成されるパワーコイルをさらに含むことを特徴とする請求項１に記載のデジタイザ用センサ部。
【請求項３】
前記パワーコイルは、前記第１コイル及び前記第２コイルと上下方向で互いに交差しないように、前記第２磁性層の外側領域に形成されることを特徴とする請求項２に記載のデジタイザ用センサ部。
【請求項４】
前記第１磁性層及び前記第２磁性層のうち何れか一方または両方は、Ｆｅ、Ｎｉ、Ｚｎ、Ｍｎ、Ｍｇ、Ｃｏ、Ｂａ及びＳｒからなる群から選択された二つ以上の元素を含む酸化物磁性材料からなることを特徴とする請求項１に記載のデジタイザ用センサ部。
【請求項５】
前記第１コイルは第１軸方向に長手方向を有するように形成され、前記第２コイルは前記第１軸方向と垂直な第２軸方向に長手方向を有するように形成されることを特徴とする請求項１に記載のデジタイザ用センサ部。
【請求項６】
前記第１コイルは前記第２軸方向に配列されるように多数形成され、前記第２コイルは前記第１軸方向に配列されるように多数形成されることを特徴とする請求項５に記載のデジタイザ用センサ部。
【請求項７】
前記第１コイルは、前記絶縁層の他面に埋め込まれることを特徴とする請求項１に記載のデジタイザ用センサ部。
【請求項８】
前記第２コイルは、前記第２磁性層の他面に埋め込まれることを特徴とする請求項１に記載のデジタイザ用センサ部。
【請求項９】
（ａ）ベースフィルムの一面に第１磁性層を形成する段階と、
（ｂ）前記第１磁性層の一面に第１コイルを形成する段階と、
（ｃ）前記第１コイルを覆うように、前記第１磁性層の一面に絶縁層を形成する段階と、
（ｄ）前記絶縁層の一面に第２コイルを形成する段階と、
（ｅ）前記第２コイルを覆うように、前記絶縁層の一面に第２磁性層を形成する段階と、を含むデジタイザ用センサ部の製造方法。
【請求項１０】
前記（ａ）段階の後に、前記ベースフィルムを前記第１磁性層から剥離する段階をさらに含むことを特徴とする請求項９に記載のデジタイザ用センサ部の製造方法。
【請求項１１】
前記（ｅ）段階の後に、前記第２磁性層の一面にパワーコイルを形成する段階をさらに含むことを特徴とする請求項９に記載のデジタイザ用センサ部の製造方法。
【請求項１２】
前記パワーコイルは、前記第１コイル及び前記第２コイルと上下方向で互いに交差しないように、前記第２磁性層の外側領域に形成されることを特徴とする請求項１１に記載のデジタイザ用センサ部の製造方法。
【請求項１３】
前記第１磁性層及び前記第２磁性層のうち何れか一方または両方は、Ｆｅ、Ｎｉ、Ｚｎ、Ｍｎ、Ｍｇ、Ｃｏ、Ｂａ及びＳｒからなる群から選択された二つ以上の元素を含む酸化物磁性材料からなることを特徴とする請求項９に記載のデジタイザ用センサ部の製造方法。
【請求項１４】
前記第１コイルは第１軸方向に長手方向を有するように形成され、前記第２コイルは前記第１軸方向と垂直な第２軸方向に長手方向を有するように形成されることを特徴とする請求項９に記載のデジタイザ用センサ部の製造方法。
【請求項１５】
前記第１コイルは前記第２軸方向に配列されるように多数形成され、前記第２コイルは前記第１軸方向に配列されるように多数形成されることを特徴とする請求項１４に記載のデジタイザ用センサ部の製造方法。
【発明の詳細な説明】
【技術分野】
【０００１】
本発明は、デジタイザ用センサ部及びその製造方法に関する。
【背景技術】
【０００２】
デジタル技術を用いるコンピュータが発達するにつれて、コンピュータの補助装置もともに開発されており、パソコン、ポータブル伝送装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置として、電磁気誘導方式のデジタイザ（Ｄｉｇｉｔｉｚｅｒ）が開発された。
【０００５】
電磁気誘導方式のデジタイザに類する機能を有する入力装置として、静電容量方式のタッチスクリーンがあるが、静電容量方式のタッチスクリーンは、電磁気誘導方式のデジタイザに比べ正確な座標を検知することができず、筆圧も認識できない。従って、電磁気誘導方式のデジタイザが、精度や正確性の点で静電容量方式のタッチスクリーンより有利である。
【０００６】
従来技術によるデジタイザの一例として、韓国登録特許第１０-０５１０７２９号に開示されているデジタイザが挙げられる。
【０００７】
前記登録特許に開示されているデジタイザは、液晶パネルの下側に配置され、電子ペンがタッチされる位置で共振される電磁波を送受信してタッチ位置を認識するセンサ部と、センサ部を制御する制御部と、を含んで構成される。
【０００８】
ここで、センサ部は、センサＰＣＢと、センサＰＣＢに形成される複数のＸ軸コイル及びＹ軸コイルで構成される。
【０００９】
また、制御部は、センサ部の下側に構成され、センサ部に信号を送信してさらに入力される信号を読み取って電子ペンの位置を検知する役割をするＣＰＵ（Ｃｏｎｔｒｏｌ  Ｐｒｏｃｅｓｓｏｒ  Ｕｎｉｔ）で構成される。
【００１０】
また、電子ペンの内部には、コイルとコンデンサからなる共振回路が内蔵される。
【００１１】
このような従来のデジタイザは、センサ部が制御部からの信号を受信して動作し、Ｘ軸及びＹ軸コイルを選択して電磁気を誘導しながら電磁波を発生させる。電子ペンは発生した電磁波によって共振され、共振周波数は一定時間ホールドされながらセンサ部によって受信される。制御部は、センサ部が受信した信号を読み取ってタッチ位置を検知する。
【００１２】
一方、デジタイザにおいて、コイルで送受信される信号が周辺機器の影響により減衰しないなど、信号の安定性をより向上させる必要がある。しかし、上記の従来のデジタイザはこのような要求に応じるための別の構成を含んでいないという問題がある。
【発明の開示】
【発明が解決しようとする課題】
【００１３】
本発明は、上述の従来技術の問題点を解決するためのものであり、本発明の一側面は、センサ部で送受信される信号の安定性が向上されたデジタイザ用センサ部及びその製造方法を提供することをその目的とする。
【課題を解決するための手段】
【００１４】
本発明の実施例によるデジタイザ用センサ部は、第１磁性層と、前記第１磁性層の一面に形成される第１コイルと、前記第１磁性層の一面に形成される絶縁層と、前記絶縁層の一面に形成される第２コイルと、前記絶縁層の一面に形成される第２磁性層と、を含む。
【００１５】
本発明の実施例によるデジタイザ用センサ部は、前記第２磁性層の一面に形成されるパワーコイルをさらに含むことができる。
【００１６】
本発明の実施例によるデジタイザ用センサ部の前記パワーコイルは、前記第１コイル及び前記第２コイルと上下方向で互いに交差しないように、前記第２磁性層の外側領域に形成されることができる。
【００１７】
本発明の実施例によるデジタイザ用センサ部の前記第１磁性層及び前記第２磁性層のうち何れか一方または両方は、Ｆｅ、Ｎｉ、Ｚｎ、Ｍｎ、Ｍｇ、Ｃｏ、Ｂａ及びＳｒからなる群から選択された二つ以上の元素を含む酸化物磁性材料からなることができる。
【００１８】
本発明の実施例によるデジタイザ用センサ部の前記第１コイルは第１軸方向に長手方向を有するように形成され、前記第２コイルは前記第１軸方向と垂直な第２軸方向に長手方向を有するように形成されることができる。
【００１９】
本発明の実施例によるデジタイザ用センサ部の前記第１コイルは前記第２軸方向に配列されるように多数形成され、前記第２コイルは前記第１軸方向に配列されるように多数形成されることができる。
【００２０】
本発明の実施例によるデジタイザ用センサ部の前記第１コイルは、前記絶縁層の他面に埋め込まれていることができる。
【００２１】
本発明の実施例によるデジタイザ用センサ部の前記第２コイルは、前記第２磁性層の他面に埋め込まれていることができる。
【００２２】
本発明の実施例によるデジタイザ用センサ部の製造方法は、（ａ）ベースフィルムの一面に第１磁性層を形成する段階と、（ｂ）前記第１磁性層の一面に第１コイルを形成する段階と、（ｃ）前記第１コイルを覆うように、前記第１磁性層の一面に絶縁層を形成する段階と、（ｄ）前記絶縁層の一面に第２コイルを形成する段階と、（ｅ）前記第２コイルを覆うように、前記絶縁層の一面に第２磁性層を形成する段階と、を含む。
【００２３】
本発明の実施例によるデジタイザ用センサ部の製造方法は、前記（ａ）段階の後に、前記ベースフィルムを前記第１磁性層から剥離する段階をさらに含むことができる。
【００２４】
本発明の実施例によるデジタイザ用センサ部の製造方法は、前記（ｅ）段階の後に、前記第２磁性層の一面にパワーコイルを形成する段階をさらに含むことができる。
【００２５】
この際、前記パワーコイルは、前記第１コイル及び前記第２コイルと上下方向で互いに交差しないように、前記第２磁性層の外側領域に形成されることができる。
【００２６】
本発明の実施例によるデジタイザ用センサ部の製造方法において、前記第１磁性層及び前記第２磁性層のうち何れか一方または両方は、Ｆｅ、Ｎｉ、Ｚｎ、Ｍｎ、Ｍｇ、Ｃｏ、Ｂａ及びＳｒからなる群から選択された二つ以上の元素を含む酸化物磁性材料からなることができる。
【００２７】
本発明の実施例によるデジタイザ用センサ部の製造方法において、前記第１コイルは第１軸方向に長手方向を有するように形成され、前記第２コイルは前記第１軸方向と垂直な第２軸方向に長手方向を有するように形成されることができる。
【００２８】
本発明の実施例によるデジタイザ用センサ部の製造方法において、前記第１コイルは前記第２軸方向に配列されるように多数形成され、前記第２コイルは前記第１軸方向に配列されるように多数形成されることができる。
【発明の効果】
【００２９】
本発明によると、第１コイル及び第２コイルが磁性材料を含んでなる第１磁性層及び第２磁性層の内部に位置するため、コイル間の磁場形成や、コイルと入力装置との間に送受信される信号の安定性を向上させるという利点が提供される。
【発明を実施するための最良の形態】
【００３０】
本発明の目的、特定の長所及び新規の特徴は添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３１】
以下、添付図面を参照して本発明の第１実施例によるデジタイザ用センサ部及びその製造方法について詳細に説明する。
【００３２】
図１は本発明の第１実施例によるデジタイザ用センサ部の断面図であり、図２は図１に図示された第１コイル及び第２コイルの形態を示す要部構成の斜視図であり、図３から図７は図１に図示されたデジタイザ用センサ部の製造方法を説明するための断面図である。
【００３３】
図１に図示されたように、本実施例によるデジタイザ用センサ部１は、第１磁性層１１０と、前記第１磁性層１１０の一面に形成される第１コイル２１０と、前記第１磁性層１１０の一面に形成される絶縁層１５０と、前記絶縁層１５０の一面に形成される第２コイル２２０と、前記絶縁層１５０の一面に形成される第２磁性層１２０と、を含む。
【００３４】
第１磁性層１１０は、後述する第２磁性層１２０とともに磁性物質からなり、電子ペンなどの入力装置（不図示）の共振回路とコイルとの間に送受信される信号の安定性を向上させる役割をする。また、後述する第１コイル２１０の間が絶縁されるように、電気絶縁性を有することができる。
【００３５】
具体的には、第１磁性層１１０は高透磁率を有する磁性物質を含んでなることができる。第１磁性層１１０は、具体的な一例として、Ｆｅ、Ｎｉ、Ｚｎ、Ｍｎ、Ｍｇ、Ｃｏ、Ｂａ及びＳｒからなる群から選択された二つ以上の元素を含む酸化物磁性材料からなることができる。第１磁性層１１０は、上記の材料からなることにより、比抵抗が高くて電気絶縁性を有するようになる。
【００３６】
第１コイル２１０は第１磁性層１１０の一面に形成される。この際、第１コイル２１０は、第１軸方向、例えば図２に図示されたように、Ｘ軸方向に長手方向を有するループ（ｌｏｏｐ）状に形成されることができる。また、第２軸方向、例えば図２に図示されたように、Ｙ軸方向に配列され、並列に連結されるように多数形成されることができる。
【００３７】
絶縁層１５０は、第１コイル２１０と第２コイル２２０との間を電気的に絶縁させる役割をする。また、後述する第１コイル２１０の隣接するラインの間を絶縁させる役割をする。そのために、絶縁層１５０は電気絶縁性を有する。絶縁層１５０は、例えば、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）などの様々な絶縁性材料からなることができる。
【００３８】
絶縁層１５０は第１磁性層１１０の一面に形成され、この際、第１コイル２１０を覆うように形成されることができる。これにより、第１コイル２１０は、図１に図示されたように絶縁層１５０の他面に埋め込まれた形態となる。第１コイル２１０が絶縁層１５０の他面に埋め込まれている場合、第１コイル２１０は第１磁性層１１０及び絶縁層１５０の内部に完全に埋め込まれた形態となるため、第１コイル２１０の隣接するラインの間が十分に絶縁されることができる。
【００３９】
第２コイル２２０は絶縁層１５０の一面に形成される。第２コイル２２０は、図２に図示されたように、第１コイル２１０と交差する方向に長手方向を有するループ状に形成されることができる。この際、第２コイル２２０は、第１コイル２１０と垂直に交差するように、第１軸方向と垂直な第２軸方向、即ち、Ｙ軸方向に長手方向を有することができる。また、第２コイル２２０は、Ｘ軸方向に配列され、並列に連結されるように多数形成されることができる。
【００４０】
第２磁性層１２０は、第１磁性層１１０とともに磁性物質からなり、入力装置の共振回路とコイルとの間に送受信される信号の安定性を向上させることができる。また、第２コイル２２０の間が絶縁されるように、第２磁性層１２０は電気絶縁性を有することができ、第１コイル２１０と同様に、一例としてＦｅ、Ｎｉ、Ｚｎ、Ｍｎ、Ｍｇ、Ｃｏ、Ｂａ及びＳｒからなる群から選択された二つ以上の元素を含む酸化物磁性材料からなることができる。第２磁性層１２０は、上記の材料からなることにより、比抵抗が高くて電気絶縁性を有するようになる。
【００４１】
第２磁性層１２０は絶縁層１５０の一面に形成される。この際、第２磁性層１２０は第２コイル２２０を覆う形態に形成されることができる。これにより、第２コイル２２０は第２磁性層１２０の他面に埋め込まれた形態となる。従って、第２コイル２２０は絶縁層１５０及び第２磁性層１２０の内部に完全に埋め込まれた形態となるため、第２コイル２２０の隣接するラインの間が十分に絶縁されることができる。
【００４２】
一方、前記第１コイル２１０及び第２コイル２２０は、入力装置のタッチ位置を検知するための構成である。
【００４３】
まず、電子ペンなどの入力装置（不図示）には、インダクタとキャパシタを含む共振回路が内蔵されることができる。前記入力装置の共振回路は、外部から入力される電磁気力によって共振される。共振回路が共振して誘導電流を生成し、生成された誘導電流によるエネルギーがキャパシタに貯蔵されることができる。
【００４４】
また、外部からの電磁気力の供給が中断されると、キャパシタに貯蔵されたエネルギーによって入力装置のキャパシタがインダクタとともに共振し、この過程で電磁気力が放出される。
【００４５】
入力装置から放出される電磁気力は、第１コイル２１０と第２コイル２２０との間に電圧差を発生させ、制御部（不図示）は、このような電圧差を確認して、入力装置のタッチ位置を検出する。
【００４６】
このような第１コイル２１０及び第２コイル２２０のうち何れか一つは、制御部から電流の供給を受ける駆動コイルとして用いられることができる。また、他の一つは、駆動コイルで誘導される磁力線によって電圧が発生する検知コイルとして用いられることができる。検知コイルで誘導される電圧（誘導起電力）は、駆動コイルで誘導された磁力線の時間に対する変化量に比例する。従って、検知コイルで電圧が誘導されるためには、駆動コイルで誘導される磁力線が周期的に変化しなければならない。結局、駆動コイルは、誘導される磁力線が周期的に変化するように、制御部から交流（Ａｌｔｅｒｎａｔｉｎｇ  Ｃｕｒｒｅｎｔ、ＡＣ）の供給を受ける。
【００４７】
第１コイル２１０及び第２コイル２２０は、制御部によって制御されて電圧を有するようになる。この際、入力装置が接近すると、上記のように、入力装置から放出される電磁気力によって影響を受け、電圧差が発生する。制御部は、このような電圧差を認知して、入力装置のタッチ位置を確認する。
【００４８】
このように形成されたデジタイザ用センサ部１は、図１に図示されたように、一側方向に配置される画像表示装置４００及びウィンドウ５００と結合されることができる。
【００４９】
一方、本発明の一実施例によるデジタイザ用センサ部の製造方法を説明すると次のとおりである。但し、上述した第１実施例についての説明で既に説明された内容は省略する。
【００５０】
図３から図７に図示されたように、本実施例によるデジタイザ用センサ部の製造方法は、（ａ）ベースフィルム１０の一面に第１磁性層１１０を形成する段階と、（ｂ）前記第１磁性層１１０の一面に第１コイル２１０を形成する段階と、（ｃ）前記第１コイル２１０を覆うように、前記第１磁性層１１０の一面に絶縁層１５０を形成する段階と、（ｄ）前記絶縁層１５０の一面に第２コイル２２０を形成する段階と、（ｅ）前記第２コイル２２０を覆うように、前記絶縁層１５０の一面に第２磁性層１２０を形成する段階と、を含む。
【００５１】
前記（ａ）段階は、図３に図示されたように、ベースフィルム１０の一面に第１磁性層１１０を形成する段階である。ベースフィルム１０としては、例えばＰＥＴフィルムなどが用いられることができる。また、第１磁性層１１０は、Ｆｅ、Ｎｉ、Ｚｎ、Ｍｎ、Ｍｇ、Ｃｏ、Ｂａ及びＳｒからなる群から選択された二つ以上の元素を含む酸化物磁性材料からなることができる。
【００５２】
第１磁性層１１０は、例えば、第１磁性層１１０の材料となる粉末とポリマーバインダーを混合してベースフィルム１０上に塗布し、これをローリング（ｒｏｌｌｉｎｇ）やキャスティング（ｃａｓｔｉｎｇ）などの方法で熱圧着することにより、ベースフィルム１０の一面に形成することができる。但し、第１磁性層１１０をベースフィルム１０に形成する方法は、上記の方法の他にも、公知された様々な方法が用いられることができる。
【００５３】
前記（ｂ）段階は、図４に図示されたように、第１磁性層１１０の一面に第１コイル２１０を形成する段階である。第１コイル２１０は、メッキや蒸着などの様々な方法によって第１磁性層１１０に形成されることができる。また、第１コイル２１０はループ状に形成されることができる。また、第１コイル２１０は、平行に配列され、並列に連結される構造を有するように多数形成されることができる。
【００５４】
前記（ｃ）段階は、図５に図示されたように、第１磁性層１１０の一面に絶縁層１５０を形成する段階である。
【００５５】
絶縁層１５０は、例えばＰＥＴなどの絶縁性を有する様々な材料からなることができる。絶縁層１５０は、第１コイル２１０を覆うように第１磁性層１１０の一面に塗布形成される。従って、第１コイル２１０は絶縁層１５０及び第１磁性層１１０の内部に完全に埋め込まれた形態となるため、第１コイル２１０の隣接するラインの間が十分に絶縁されることができる。
【００５６】
前記（ｄ）段階は、図６に図示されたように、絶縁層１５０の一面に第２コイル２２０を形成する段階である。
【００５７】
第２コイル２２０は、第１コイル２１０と同様に、メッキや蒸着などの様々な方法によって絶縁層１５０に形成されることができる。第２コイル２２０は、第１コイル２１０と同様に、ループ状に形成されることができ、この際、第１コイル２１０と交差する方向に長手方向を有するように形成されることができ、また、第２コイル２２０は、平行に配列され、並列に連結される構造を有するように多数形成されることができる。
【００５８】
前記（ｅ）段階は、図７に図示されたように、絶縁層１５０の一面に第２磁性層１２０を形成する段階である。
【００５９】
第２磁性層１２０は、第１磁性層１１０と同一の材料からなることができ、また、第１磁性層１１０の形成方法と同一の方法で形成されることができる。
【００６０】
この際、第２磁性層１２０は、第２コイル２２０を覆うように絶縁層１５０の一面に形成される。従って、第２コイル２２０は絶縁層１５０及び第２磁性層１２０の内部に完全に埋め込まれた形態となるため、第２コイル２２０の隣接するラインの間が十分に絶縁されることができる。
【００６１】
一方、前記（ａ）段階で準備されたベースフィルム１０は、（ａ）段階を経た後に剥離されて除去されることができる。図１はベースフィルム１０が除去された状態を示す。ベースフィルム１０は、（ａ）段階の直後に剥離されてもよく、または（ｂ）〜（ｅ）段階のうち何れかの段階の後に剥離されてもよい。
【００６２】
以下、本発明の第２実施例によるデジタイザ用センサ部２について、添付図面を参照して詳細に説明する。但し、第１実施例で説明された構成と同一の構成は、添付図面で同一の参照符号で示し、以下で詳細な説明は省略する。
【００６３】
図８は本発明の第２実施例によるデジタイザ用センサ部２の断面図である。
【００６４】
図８に図示されたように、本実施例は第１実施例と比較して、別のパワーコイル２３０がさらに含まれる点で異なる。
【００６５】
まず、入力装置は、上述したように、外部から電磁気力の入力を受けて共振する無電源入力装置で構成されることもできるが、入力装置の共振回路が外部から交流電源の供給を受けて共振する構造からなることもできる。
【００６６】
入力装置が外部から交流電源の供給を受けて動作する場合、デジタイザ用センサ部は別のパワーコイルをさらに含まなくてもよい。
【００６７】
しかし、入力装置が上述のような無電源入力装置であって、デジタイザ用センサ部によって電磁気力の提供を受ける場合は、デジタイザ用センサ部に別のパワーコイルが必要である。
【００６８】
デジタイザ用センサ部は、第１コイル２１０と第２コイル２２０のうち何れか一つがこのようなパワーコイルの機能を兼ねることもできる。しかし、デジタイザ用センサ部は、制御部によって別に制御される別のパワーコイルをさらに含むことにより、入力装置とコイルとの間に送受信される信号の信頼性をより高めることができる。
【００６９】
本実施例によるデジタイザ用センサ部２は、第１実施例によるデジタイザ用センサ部１にこのようなパワーコイル２３０をさらに含んで構成される。この際、パワーコイル２３０は、絶縁層１５０の一面に第２コイル２２０とともに形成されることもできる。しかし、入力装置への電源供給の目的をより安定して遂行するように、入力装置により近接する位置に形成されることが好ましい。従って、パワーコイル２３０は第２磁性層１２０の一面に形成されることができる。
【００７０】
また、パワーコイル２３０は、タッチ位置を検知する領域と重ならないように形成されることが好ましい。従って、パワーコイル２３０は、第１コイル２１０及び第２コイル２２０と上下方向で交差しないように、第２磁性層１２０の外側領域に形成されることができる。また、パワーコイル２３０は、第２磁性層１２０の外側領域に沿って形成されるループ状を有することができる。
【００７１】
本発明によると、上述したように、第１コイル２１０及び第２コイル２２０が磁性材料を含んでなる第１磁性層１１０及び第２磁性層１２０の内部に位置するため、コイル間の磁場形成や、コイルと入力装置との間に送受信される信号の安定性を向上させるという利点が提供される。
【００７２】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７３】
本発明の単純な変形乃至変更はいずれも本発明の領域に属するものであり、本発明の具体的な保護範囲は添付の特許請求の範囲により明確になるであろう。
【図面の簡単な説明】
【００７４】
【図１】本発明の第１実施例によるデジタイザ用センサ部の断面図である。
【図２】図１に図示された第１コイル及び第２コイルの形態を示す要部構成の斜視図である。
【図３】図１に図示されたデジタイザ用センサ部の製造方法を説明するための断面図である。
【図４】図１に図示されたデジタイザ用センサ部の製造方法を説明するための断面図である。
【図５】図１に図示されたデジタイザ用センサ部の製造方法を説明するための断面図である。
【図６】図１に図示されたデジタイザ用センサ部の製造方法を説明するための断面図である。
【図７】図１に図示されたデジタイザ用センサ部の製造方法を説明するための断面図である。
【図８】本発明の第２実施例によるデジタイザ用センサ部の断面図である。
【符号の説明】
【００７５】
１、２  センサ部
１０  ベースフィルム
１１０  第１磁性層
１２０  第２磁性層
１５０  絶縁層
２１０  第１コイル
２２０  第２コイル
２３０  パワーコイル
４００  画像表示装置
５００  ウィンドウ
【図１】
2014006862.tif 000003
【図２】
2014006862.tif 000004
【図３】
2014006862.tif 000005
【図４】
2014006862.tif 000006
【図５】
2014006862.tif 000007
【図６】
2014006862.tif 000008
【図７】
2014006862.tif 000009
【図８】
2014006862.tif 000010